(57)【要約】  【課題】  吸込グリルが開閉時に不用意に落下してしまわないようにすると共に、簡便な構成により容易に着脱できるようにした空気調和機を提供する。  【解決手段】  吸込口を備えた本体と、同本体に被着されたメインパネルと、同メインパネルに併設され、前記吸込口に回動自在に枢支された吸込グリル４とからなる空気調和機において、前記吸込グリル４を枢支した枢支部５が、前記本体の両側とこれに対応する前記吸込グリル４とに設けられ、環状のヒンジ７とこれに対応するフック６とで構成されると共に、前記フック６に、前記ヒンジ７の離脱を規制するための段部6aからなる規制手段を設けた。【選択図】  図４
2005049076.tif 000002
【特許請求の範囲】
【請求項１】
吸込口を備えた本体と、同本体に被着されたメインパネルと、同メインパネルに併設され、前記吸込口に回動自在に枢支された吸込グリルとからなる空気調和機において、
前記吸込グリルを枢支した枢支部が、前記本体の両側とこれに対応する前記吸込グリルとに設けられ、枠状のヒンジとこれに対応するフックとで構成されると共に、前記フックに、前記ヒンジの離脱を規制する規制手段を設けてなることを特徴とする空気調和機。
【請求項２】
前記フックまたは前記ヒンジが、前記本体の吸込口両側に設けられる一方、前記ヒンジまたは前記フックが、前記吸込口両側に対応する吸込グリルに設けられてなることを特徴とする請求項１に記載の空気調和機。
【発明の詳細な説明】
【技術分野】
【０００１】
本発明は、空気調和機に係わり、より詳細には、吸込グリルが開閉時に不用意に落下してしまわないように規制すると共に、簡便な構成により容易に着脱できるようにした構造に関する。
【背景技術】
【０００２】
従来の空気調和機には、例えば吸込グリルを下面パネルにヒンジで連結するに際し、吸込グリルを開けたときの吸込グリルの不用意な落下を防止すると共に、回転支点を低くして下面パネル等の薄型化を図り、外観の向上及び家具との干渉防止等を実現できるようにした天井埋込型空気調和機として、下面パネルと吸込グリルとを、互いに嵌合する支点ピン及び支点孔を備えたヒンジにより連結し、下面パネル側のヒンジ部材を支点ピンの軸方向にスライド可能に設け、ヒンジ部材のスライドにより支点ピンが支点孔から外れるようにした構成でなるものが開示されていた（例えば、特許文献１参照。）。
【０００３】
しかしながら、上記天井埋込型空気調和機においては、吸込グリルを開けたときの吸込グリルの不用意な落下を防止すると共に、下面パネル側のヒンジ部材を支点ピンの軸方向にスライド可能に設けて、ヒンジ部材のスライドにより支点ピンが支点孔から外れるようになっていることから、構成が複雑になってしまい、吸込グリルの取り外し時にはスライドにより支点ピンを支点孔から外す必要があり、とくに不慣れなユーザにとっては作業性が悪く取り扱いが不便であるため、吸込グリルの枢支部を簡便な構成にし、且つ容易に着脱できるようにすることが望まれていた。
【特許文献１】特開平９−１９６４０７号公報（第１頁〜第４頁、第１図〜第４図）
【発明の開示】
【発明が解決しようとする課題】
【０００４】
本発明は上記の問題点に鑑み、吸込グリルが開閉時に不用意に落下してしまわないように規制すると共に、簡便な構成により容易に着脱できるようにした空気調和機を提供することを目的とする。
【課題を解決するための手段】
【０００５】
本発明は、上記課題を解決するため、吸込口を備えた本体と、同本体に被着されたメインパネルと、同メインパネルに併設され、前記吸込口に回動自在に枢支された吸込グリルとからなる空気調和機において、
前記吸込グリルを枢支した枢支部が、前記本体の両側とこれに対応する前記吸込グリルとに設けられ、枠状のヒンジとこれに対応するフックとで構成されると共に、前記フックに、前記ヒンジの離脱を規制する規制手段を設けてなる構成となっている。
【０００６】
また、前記フックまたは前記ヒンジが、前記本体の吸込口両側に設けられる一方、前記ヒンジまたは前記フックが、前記吸込口両側に対応する吸込グリルに設けられてなる構成となっている。
【発明の効果】
【０００７】
本発明によれば、吸込グリルを枢支した枢支部が、前記本体の両側とこれに対応する前記吸込グリルとに設けられ、枠状のヒンジとこれに対応するフックとで構成されると共に、前記フックに、前記ヒンジの離脱を規制する規制手段を設けているので、吸込グリルが開閉時に不用意に落下してしまわないように規制すると共に、簡便な構成により容易に着脱できるようにした空気調和機となる。
【発明を実施するための最良の形態】
【０００８】
以下、本発明の実施の形態を、添付図面に基づいた実施例として詳細に説明する。
【０００９】
図１は本発明による空気調和機の外観斜視図、図２は本発明による空気調和機の実施例１の要部斜視図、図３は図２で示すＡ部の斜視図、図４は本発明による空気調和機の実施例１の説明図で、（Ａ）は吸込グリルの背面側斜視図、（Ｂ）は（Ａ）で示すＢ矢視図、図５は本発明による空気調和機の実施例２の説明図で、（Ａ）は要部斜視図、（Ｂ）は要部断面図、図６は本発明による空気調和機の実施例２の説明図で、（Ａ）は吸込グリルの背面側斜視図、（Ｂ）は要部断面図、（Ｃ）は（Ａ）で示すＢ矢視図である。
【００１０】
本発明による空気調和機は、図で示すように、吸込口２を備えた本体１と、同本体１に被着されたメインパネル３と、同メインパネル３に併設され、前記吸込口２に回動自在に枢支された吸込グリル４と、前記本体１に備えた吹出口ｂに対応して被着された吹出パネルａと、前記本体１の側面に被着された側面パネルｃとからなる構成になっている。
【００１１】
前記吸込グリル４が枢支される枢支部５は、前記本体１の両側とこれに対応する前記吸込グリル４とに設けられ、枠状のヒンジ７とこれに対応するフック６とで構成されると共に、前記フック６には、前記ヒンジ７が不用意に離脱してしまわないように規制するための規制手段を設けてなる構成になっている。
【００１２】
また、前記枢支部５は、前記フック６が前記本体１の吸込口２の両側に設けられる一方、前記ヒンジ７が、前記吸込口２の両側に対応する前記吸込グリル４に設けられるように構成するか、もしくは、前記ヒンジ７が前記本体１の吸込口２の両側に設けられる一方、前記フック６が前記吸込口２の両側に対応する前記吸込グリル４に設けられるように構成してもよい。
【実施例１】
【００１３】
すなわち、前記枢支部５は、実施例１として図２および図３で示すように、前記本体１の両側に設けられ、上部を開放して外側に折曲された段部6aを有するフック６と、同フック６に対応して前記吸込グリル４に設けられた枠状のヒンジ７とで構成され、前記フック６に前記ヒンジ７を係合することにより前記吸込グリル４が回動自在に枢支されると共に、前記フック６には前記規制手段が設けられた構成になっている。
【００１４】
前記規制手段は、図４（Ａ）および図４（Ｂ）で示すように、前記フック７の基端部のスパンｄが、前記ヒンジ７の中心位置のスパンｄと同一のスパンで形成されると共に、前記段部6aが、前記ヒンジ７の最大スパンｆを僅かな隙間を有して挿通できるスパンｅで形成されてなる構成となっている。
【００１５】
上記構成により、前記枢支部５を中心に前記吸込グリル４を回動した際、同吸込グリル４は、前記ヒンジ７が前記フック６から不用意に離脱しないように規制され、且つ同フック６の基端部6bによって正確に支持されることになって落下するおそれがない。
【００１６】
その際、前記段部6aが、前記ヒンジ７の最大スパンｆを僅かな隙間を有して挿通できるスパンｅで形成されているので、例えば前記吸込グリル４を意図的に取り外すには、同吸込グリル４を上方に持ち上げながら、図４（Ｂ）で示す上記した僅かな隙間（＝ヒンジ７の最大スパンｆ−段部6aのスパンｅ）を利用して前記段部6aから前記ヒンジ７を離脱させるようにすればよい。
【００１７】
上述した僅かな隙間は、前記吸込グリル４を取り外すという目的を達成するため意図的に位置合わせしながら持ち上げた場合にのみ、前記段部6aから前記ヒンジ７を離脱させるための隙間として機能するようになっており、例えば、前記吸込グリル４に対し不意に外力が作用したような場合には、前記ヒンジ７は前記フック６に対してガタツキが生じることになり、前記段部6aに前記ヒンジ７が当接あるいは接触することになって同ヒンジ７を離脱させないように規制できることになる。
【００１８】
また、図３と、図４（Ｂ）とで示すように、前記段部6aの上端には先端を内側に傾斜させた傾斜部6cが設けられた構成になっている。
【００１９】
前記フック６は、前記本体１の側部に前記段部6aを備えた切起しによって形成され、前記傾斜部6cは、前記段部6aの上端部に連続的に折曲形成されているので、コスト的に有利な簡便な構成により容易に形成できるようになっている。
【００２０】
前記傾斜部6cが設けられたことにより、前記ヒンジ７を前記フック６の基端部6bまで呼び込むのに好適な構造になり、前記吸込グリル４を前記枢支部５で枢支されるように組み付けるときの作業性が良好になる。
【００２１】
また、上記で説明した「段部6aのスパンｅ」は、手指で押圧して変形させることにより微調整することが可能であって、図４（Ｂ）に基づいて上述した僅かな隙間（＝ヒンジ７の最大スパンｆ−段部6aのスパンｅ）の大きさは適宜調整することができるようになっており、例えば前記段部6aから前記ヒンジ７を確実に離脱させないようにするため、弾性または塑性変形にさせることで「ヒンジ７の最大スパンｆ」よりも大きくなるように調整してもよい。
【００２２】
なお、前記ヒンジ７は、例えばステンレス線を折曲して、図４（Ａ）および図４（Ｂ）で示すように四角形によって環状に形成し、その一辺を前記吸込グリル４に設けられた取付用の溝部4aに嵌着することによって取り付けられるようになっている。
【００２３】
もしくは、前記ヒンジ７は、図示はしないが、前記吸込グリル４と同一の素材で一体成形されるようにするか、別部材で形成しその一部をインサートさせて成形されるようにしてもよい。
【実施例２】
【００２４】
または、前記枢支部５は、実施例２として図５（Ａ）および図５（Ｂ）と、図６（Ａ）乃至（Ｃ）とで示すように、前記ヒンジ７が前記本体１の吸込口２の両側に設けられる一方、前記フック６が前記吸込口２の両側に対応する前記吸込グリル４に設けられるように構成してもよい。
【００２５】
前記ヒンジ７は、図５（Ａ）および図５（Ｂ）で示すように、突部8dおよび傾斜部8cを備えたフック８によって前記本体１の吸込口２の両側に設けられるようになっている。
【００２６】
前記ヒンジ７に対応する前記フック６は、図６（Ａ）乃至（Ｃ）で示すように、前記吸込グリル４の裏面に突設され、前記ヒンジ７を収容し枢支する基端部6bと、同ヒンジ７が不用意に離脱してしまわないように規制する突部6dと、同突部6dに連続形成され先端を前記フック６の外側に傾斜させた傾斜部6cとからなる構成になっている。
【００２７】
これによって、前記ヒンジ７が前記突部6dによって該箇所から離脱してしまわないように規制されることになり、前記吸込グリル４が不用意に落下してしまうといったおそれがなくなる。
【００２８】
また、前記突部6dの先端には、先端を前記フック６の外側に傾斜させた傾斜部6eが設けられているので、前記ヒンジ７を前記フック６の基端部6bまで呼び込むのに好適な構造になり、前記吸込グリル４を前記枢支部５で枢支されるように組み付けるときの作業性が良好になる。
【図面の簡単な説明】
【００２９】
【図１】本発明による空気調和機の外観斜視図である。
【図２】本発明による空気調和機の実施例１の要部斜視図である。
【図３】図２で示すＡ部の斜視図である。
【図４】本発明による空気調和機の実施例１の説明図で、（Ａ）は吸込グリルの背面側斜視図であり、（Ｂ）は（Ａ）で示すＢ矢視図である。
【図５】本発明による空気調和機の実施例２の説明図で、（Ａ）は要部斜視図であり、（Ｂ）は要部断面図である。
【図６】本発明による空気調和機の実施例２の説明図で、（Ａ）は吸込グリルの背面側斜視図であり、（Ｂ）は要部断面図、（Ｃ）は（Ａ）で示すＢ矢視図である。
【符号の説明】
【００３０】
１  空気調和機本体
２  吸込口
３  メインパネル
４  吸込グリル
4a  溝部
５  枢支部
６  フック
6a  段部
6b  基端部
6c  傾斜部
７  ヒンジ
８  フック
8b  基端部
8c  傾斜部
8d  突部
ａ  吹出パネル
ｂ  吹出口
ｃ  側面パネル
【図１】
2005049076.tif 000003
【図２】
2005049076.tif 000004
【図３】
2005049076.tif 000005
【図４】
2005049076.tif 000006
【図５】
2005049076.tif 000007
【図６】
2005049076.tif 000008